(57)【要約】【課題】  表示装置が文字情報を画面に表示し、その文字情報に手書き文字が書き込める機能を備えた表示装置において、筆跡を適切に画面に表示できる表示装置を提供する。【解決手段】  表示装置１は、画面上の筆跡の入力位置の検出により、筆跡情報を生成する。またその筆跡情報を筆跡情報記憶部１７に記録する。そして、筆跡情報の表示の指示があった場合に、表示装置１の筆跡情報表示部１５は、筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが選択された筆跡情報に格納されている文字のサイズでない場合には、現在表示されていると判定した表示画像の文字を、該選択された筆跡情報に格納されている文字のサイズに変更して表示する。【選択図】  図１
2008203943.tif 000002
【特許請求の範囲】
【請求項１】
文字情報画像を一時記憶する文字情報画像一時記憶手段と、
前記文字情報画像のうちの表示領域の指定に基づいて、該表示領域に含まれる表示画像を画面に表示する表示処理手段と、
前記画面に表示された文字のサイズの変更を受け付けた場合に、前記画面に表示された表示画像による文字のサイズを変更する文字サイズ変更手段と、
前記画面上の筆跡の入力位置の検出により、当該入力位置に対応する前記文字情報画像の原点からの筆跡位置と、前記入力位置を検出した際に前記画面に表示されている文字のサイズと、前記入力位置を検出した際に前記画面に表示されている表示画像の識別情報とを対応付けて格納した筆跡情報を生成する筆跡情報生成手段と、
前記筆跡情報を記憶する筆跡情報記憶手段と、
前記筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが前記選択された筆跡情報に格納されている文字のサイズでない場合には、現在表示されていると判定した表示画像の文字を、該選択された筆跡情報に格納されている文字のサイズに変更して表示する筆跡情報表示手段と、
を備えることを特徴とする表示装置。
【請求項２】
前記筆跡情報表示手段は、前記選択された筆跡情報に格納されている識別情報の表示画像が現在表示されていないと判定した場合には、該選択された筆跡情報に格納されている識別情報で特定される表示画像を、該選択された筆跡情報に格納されている文字のサイズで新たに表示する
ことを特徴とする請求項１に記載の表示装置。
【請求項３】
前記筆跡情報生成手段は、前記表示画像において設定された複数の分割領域のうち、前記入力位置がいずれの分割領域に多く位置するかを検出して、当該検出した分割領域の情報を前記筆跡情報に格納して生成し、
前記筆跡情報表示手段は、前記分割領域の選択を受け付けて、当該分割領域の情報を格納した筆跡情報を表示する、または当該分割領域の情報を格納した筆跡情報の一覧を前記画面に選択可能に表示する
ことを特徴とする請求項１に記載の表示装置。
【請求項４】
前記筆跡情報表示手段は、新たな画面上の入力位置の検出により生成した筆跡パターンと、前記筆跡情報で示される筆跡パターンとを比較して、筆跡パターンの一致する筆跡情報を表示する、またはその筆跡パターンの一致した筆跡情報の一覧を前記画面に選択可能に表示する
ことを特徴とする請求項１に記載の表示装置。
【請求項５】
表示装置の表示方法であって、
前記表示装置の文字情報画像一時記憶手段が、文字情報画像を一時記憶し、
前記表示装置の表示処理手段が、前記文字情報画像のうちの表示領域の指定に基づいて、該表示領域に含まれる表示画像を画面に表示し、
前記表示装置の文字サイズ変更手段が、前記画面に表示された文字のサイズの変更を受け付けた場合に、前記画面に表示された表示画像による文字のサイズを変更し、
前記表示装置の筆跡情報生成手段が、前記画面上の筆跡の入力位置の検出により、当該入力位置に対応する前記文字情報画像の原点からの筆跡位置と、前記入力位置を検出した際に前記画面に表示されている文字のサイズと、前記入力位置を検出した際に前記画面に表示されている表示画像の識別情報とを対応付けて格納した筆跡情報を生成し、
前記表示装置の筆跡情報記憶手段が、前記筆跡情報を記憶し、
前記表示装置の筆跡情報表示手段が、前記筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが前記選択された筆跡情報に格納されている文字のサイズでない場合には、現在表示されていると判定した表示画像の文字を、該選択された筆跡情報に格納されている文字のサイズに変更して表示する
ことを特徴とする表示装置。
【請求項６】
表示装置のコンピュータに実行させるプログラムであって、
文字情報画像一時記憶手段に一時記録された文字情報画像のうちの表示領域の指定に基づいて、該表示領域に含まれる表示画像を画面に表示する表示処理と、
前記画面に表示された文字のサイズの変更を受け付けた場合に、前記画面に表示された表示画像による文字のサイズを変更する文字サイズ変更処理と、
前記画面上の筆跡の入力位置の検出により、当該入力位置に対応する前記文字情報画像の原点からの筆跡位置と、前記入力位置を検出した際に前記画面に表示されている文字のサイズと、前記入力位置を検出した際に前記画面に表示されている表示画像の識別情報とを対応付けて格納した筆跡情報を生成する筆跡情報生成処理と、
筆跡情報記憶手段に記憶する前記筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが前記選択された筆跡情報に格納されている文字のサイズでない場合には、現在表示されていると判定した表示画像の文字を、該選択された筆跡情報に格納されている文字のサイズに変更して表示する筆跡情報表示処理と、
をコンピュータに実行させるプログラム。
【請求項７】
前記請求項６に記載のプログラムを記憶するコンピュータ読み取り可能な記録媒体。
【発明の詳細な説明】
【技術分野】
【０００１】
本発明は、電子辞書に組み込まれ、辞書などの文字情報を画面に表示する表示装置および表示方法ならびにそのプログラムと記録媒体に関する。
【背景技術】
【０００２】
辞書などの文字情報を画面に表示する表示装置において、ユーザが手書きの文字を電子ペンなどで入力し、表示した文字情報と、入力を受け付けた手書き文字等の筆跡情報を対応付けて記憶する技術が公開されている。
【特許文献１】特開２０００−２５０９０３
【発明の開示】
【発明が解決しようとする課題】
【０００３】
ところで、多くの表示装置では文字情報を画面に表示する際に、その文字サイズの変更指示の入力を受け付けることにより、表示している文字サイズの変更を行うことができる。しかしながら上述のような特許文献１の技術を備えた表示装置においては、表示された文字情報の中に手書き文字を入力してそれを記憶させ、再度表示させることができるが、文字情報によって表示されている文字の文字サイズが変更指示されると、表示中の文字と手書き文字の位置の関係が、手書き文字が書き込まれた際の位置関係とは異なってしまうという問題がある。また文字情報に書き込んだ手書き文字を表示させる際に、手書き文字に対応する筆跡情報が多く記録されていると、その筆跡情報の検索に手間がかかってしまうという問題がある。
【０００４】
そこでこの発明は、表示装置が文字情報を画面に表示するとともに、その文字情報に手書き文字が書き込める機能を備えた表示装置において、文字情報によって表示されている文字のサイズが変更されていたとしてもその文字と手書き文字の筆跡との位置関係を適切に画面に表示でき、また、手書き文字に対応する筆跡情報の検索を容易に行うことのできる表示装置および表示方法ならびにそのプログラムと記録媒体を提供することを目的としている。
【課題を解決するための手段】
【０００５】
上記目的を達成するために、本発明は、文字情報画像を一時記憶する文字情報画像一時記憶手段と、前記文字情報画像のうちの表示領域の指定に基づいて、該表示領域に含まれる表示画像を画面に表示する表示処理手段と、前記画面に表示された文字のサイズの変更を受け付けた場合に、前記画面に表示された表示画像による文字のサイズを変更する文字サイズ変更手段と、前記画面上の筆跡の入力位置の検出により、当該入力位置に対応する前記文字情報画像の原点からの筆跡位置と、前記入力位置を検出した際に前記画面に表示されている文字のサイズと、前記入力位置を検出した際に前記画面に表示されている表示画像の識別情報とを対応付けて格納した筆跡情報を生成する筆跡情報生成手段と、前記筆跡情報を記憶する筆跡情報記憶手段と、前記筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが前記選択された筆跡情報に格納されている文字のサイズでない場合には、現在表示されていると判定した表示画像の文字を、該選択された筆跡情報に格納されている文字のサイズに変更して表示する筆跡情報表示手段と、を備えることを特徴とする表示装置である。
【０００６】
また本発明は、上述の表示装置において、前記筆跡情報表示手段は、前記選択された筆跡情報に格納されている識別情報の表示画像が現在表示されていないと判定した場合には、該選択された筆跡情報に格納されている識別情報で特定される表示画像を、該選択された筆跡情報に格納されている文字のサイズで新たに表示することを特徴とする。
【０００７】
また本発明は、上述の表示装置において、前記筆跡情報生成手段は、前記表示画像において設定された複数の分割領域のうち、前記入力位置がいずれの分割領域に多く位置するかを検出して、当該検出した分割領域の情報を前記筆跡情報に格納して生成し、前記筆跡情報表示手段は、前記分割領域の選択を受け付けて、当該分割領域の情報を格納した筆跡情報を表示する、または当該分割領域の情報を格納した筆跡情報の一覧を前記画面に選択可能に表示することを特徴とする。
【０００８】
また本発明は、上述の表示装置において、前記筆跡情報表示手段は、新たな画面上の入力位置の検出により生成した筆跡パターンと、前記筆跡情報で示される筆跡パターンとを比較して、筆跡パターンの一致する筆跡情報を表示する、またはその筆跡パターンの一致した筆跡情報の一覧を前記画面に選択可能に表示することを特徴とする。
【０００９】
また本発明は、表示装置の表示方法であって、前記表示装置の文字情報画像一時記憶手段が、文字情報画像を一時記憶し、前記表示装置の表示処理手段が、前記文字情報画像のうちの表示領域の指定に基づいて、該表示領域に含まれる表示画像を画面に表示し、前記表示装置の文字サイズ変更手段が、前記画面に表示された文字のサイズの変更を受け付けた場合に、前記画面に表示された表示画像による文字のサイズを変更し、前記表示装置の筆跡情報生成手段が、前記画面上の筆跡の入力位置の検出により、当該入力位置に対応する前記文字情報画像の原点からの筆跡位置と、前記入力位置を検出した際に前記画面に表示されている文字のサイズと、前記入力位置を検出した際に前記画面に表示されている表示画像の識別情報とを対応付けて格納した筆跡情報を生成し、前記表示装置の筆跡情報記憶手段が、前記筆跡情報を記憶し、前記表示装置の筆跡情報表示手段が、前記筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが前記選択された筆跡情報に格納されている文字のサイズでない場合には、現在表示されていると判定した表示画像の文字を、該選択された筆跡情報に格納されている文字のサイズに変更して表示することを特徴とする表示装置である。
【００１０】
また本発明は、表示装置のコンピュータに実行させるプログラムであって、文字情報画像一時記憶手段に一時記録された文字情報画像のうちの表示領域の指定に基づいて、該表示領域に含まれる表示画像を画面に表示する表示処理と、前記画面に表示された文字のサイズの変更を受け付けた場合に、前記画面に表示された表示画像による文字のサイズを変更する文字サイズ変更処理と、前記画面上の筆跡の入力位置の検出により、当該入力位置に対応する前記文字情報画像の原点からの筆跡位置と、前記入力位置を検出した際に前記画面に表示されている文字のサイズと、前記入力位置を検出した際に前記画面に表示されている表示画像の識別情報とを対応付けて格納した筆跡情報を生成する筆跡情報生成処理と、筆跡情報記憶手段に記憶する前記筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが前記選択された筆跡情報に格納されている文字のサイズでない場合には、現在表示されていると判定した表示画像の文字を、該選択された筆跡情報に格納されている文字のサイズに変更して表示する筆跡情報表示処理と、をコンピュータに実行させるプログラムである。
【００１１】
また本発明は、上述のプログラムを記憶するコンピュータ読み取り可能な記録媒体である。
【発明の効果】
【００１２】
本発明によれば、筆跡情報によって表示される手書き文字は、ユーザが当該手書き文字を書き込んだ際に画面に表示されていた文字のサイズと同じ大きさの文字のサイズで表示された表示画像に合成され、さらに、ユーザが当該手書き文字を書き込んだ際に画面に表示されていた画像と同一の領域の表示画像が文字情報画像から読み取られて表示される。これにより、画面に、文字情報によって表示される文字と筆跡情報によって表示される手書き文字の位置の関係が、手書き文字が書き込まれた際の当該手書き文字と文字情報によって表示される文字の位置関係と自動的に同じとなるので、ユーザが登録した手書き文字を適切に表示することができる。つまり、手書き文字にあわせて文字サイズを変更しなおす必要がなく、また手書き文字が、その手書き文字を書き込んだ文字情報における書き込み位置に正確に表示されることとなる。また、ユーザが登録した手書き文字に対応する筆跡情報の検索を容易に行うことができるようになる。
【発明を実施するための最良の形態】
【００１３】
以下、本発明の一実施形態による表示装置を図面を参照して説明する。
図１は同実施形態による表示装置の構成を示すブロック図である。
この図において、符号１は表示装置である。そして表示装置１はユーザより指示を受け付ける入力部１１と、表示装置１の各処理部を制御する制御部１２と、画像を液晶などの画面に表示する表示処理部（表示処理手段、文字サイズ変更手段）１３と、画面に書き込まれた手書き文字等の筆跡情報を生成する筆跡情報生成部（筆跡情報生成手段）１４と、生成後に記録された筆跡情報を、ユーザの指示に基づいて表示する筆跡情報表示部（筆跡情報表示手段）１５と、文字情報を記憶する文字情報記憶部１６と、筆跡情報を記憶する筆跡情報記憶部（筆跡情報記憶手段）１７と、を備えている。
【００１４】
なお、文字情報とは、例えば辞書データのような情報であり画面に文字や文書を表示させるための情報であればどのような情報であってもよい。ここで、表示装置１は文字情報から文字情報画像を生成して、当該文字情報画像をメモリ（文字情報画像一時記憶手段）等に一時記憶させておく。また筆跡情報とは、画面上の筆跡の入力位置の検出により、当該入力位置に対応する文字情報画像の原点からの筆跡位置と、入力位置を検出した際に画面に表示されている文字のサイズと、入力位置を検出した際に画面に表示されている表示画像の識別情報とを対応付けて格納した情報である。この筆跡情報はユーザの画面上における手書き文字等の筆跡を画面に表示させるための情報である。また表示装置１が備えている液晶の画面は、指や専用のタッチペンで画面に触れることにより、その触れた画面上の位置を筆跡の入力位置と検出するタッチパネルの機能を有している。ここでこのタッチパネル機能には通常、圧力の変化を感知して入力位置を検出する感圧式と、静電気による電気信号により入力位置を検出する静電式とがあるが、どちらの方式のタッチパネルであってもよい。またそれ以外の原理を応用したタッチパネルであってもよい。
【００１５】
そして、本実施形態の表示装置１は、文字情報記憶部１６が辞書データなどの文字情報を予め記憶しており、表示処理部１３が文字情報記憶部１６に記録されている文字情報を読み取って文字情報画像を生成し、当該文字情報をメモリなどの一時記憶手段に一時的に格納する。そして、表示処理部１３はメモリ等に記録された文字情報画像のうちの表示領域指定に基づいて、当該文字情報画像において指定された表示領域に含まれる表示画像を画面に表示する。また表示処理部１３は画面に表示された文字のサイズの変更を受け付けた場合に、画面に表示された表示画像による文字のサイズを変更する処理を行う。また表示装置１は、画面上の筆跡の入力位置の検出により、少なくとも、当該入力位置に対応する文字情報画像の原点からの筆跡位置と、入力位置を検出した際に画面に表示されている文字のサイズと、入力位置を検出した際に画面に表示されている表示画像の識別情報とを対応付けて格納した筆跡情報を生成する。またその筆跡情報は筆跡情報記憶部１７が記憶する。そして、表示装置１の筆跡情報表示部１５は、筆跡情報の選択および表示指示に基づいて、該選択された筆跡情報に格納されている識別情報の表示画像が現在表示されているか否かを判定し、表示されている場合にはその表示画像の文字のサイズを検出し、該文字のサイズが選択された筆跡情報に格納されている文字のサイズでない場合には、現在表示されていると判定した表示画像の文字を、該選択された筆跡情報に格納されている文字のサイズに変更して表示する。
【００１６】
次に文字情報画像と表示画像とについて説明する。
図２は文字情報画像と表示画像とを示す図である。
表示処理部１３は文字情報（辞書データなど）の表示指示を、入力部１１を介して受け付けると、文字情報記憶部１６から文字情報を読み取って、当該文字情報を画面に表示するための文字情報画像を生成してメモリに一時記録する。そして表示処理部１３はメモリに一時記録された文字情報画像のうち、表示画面に対応する領域の表示画像を読み取り、当該表示画像を画面に表示する。またスクロールなどの操作が入力された場合には、メモリに格納されている文字情報画像において順次その領域を移動させて、領域の指定を受け付け、その領域の表示画像を読み取って画面に表示する。なお本実施形態において表示領域は、マトリックス状に１２分割された各分割領域が設定されており、表示画面中のどの位置がどの分割領域であるかの情報が設定ファイルなどでメモリなどに記録されている。なお図２において文字情報画像の左上端の点（０，０）を第１原点、また表示画像の左上端の点ｙ1を第２原点と呼ぶこととする。
【００１７】
図３は手書き文字の書き込み時における表示装置の処理フローを示す図である。
次に表示装置１の処理について説明する。
表示装置１は文字情報記憶部１６に記憶している文字情報（例えば辞書データなど）の表示指示を入力部１１から受け付けると（ステップＳ１０１）、表示処理部１３が、文字情報記憶部１６から文字情報を読み取って（ステップＳ１０２）、当該文字情報から文字情報画像を生成し（ステップＳ１０３）、当該文字情報画像をメモリに一時記録（展開）する（ステップＳ１０４）。また、表示処理部１３は、メモリに一時記録された文字情報画像のうち、画面に対応する初期領域の表示画像（文字情報画像の原点から領域を指定した画像）を読み取り（ステップＳ１０５）、当該表示画像を画面に表示する（ステップＳ１０６）。またスクロールの操作が入力されたかを判定し（ステップＳ１０７）、入力された場合には、メモリに格納されている文字情報画像において順次その領域を移動させて、領域の指定を受け付け、その領域の表示画像を読み取って画面に表示する（ステップＳ１０８）。また表示装置１の表示処理部１３は、表示されている文字のサイズ変更の指示を入力部１１から受け付けたかを判定し（ステップＳ１０９）、受け付けた場合には、現在表示している表示画像における文字を、指示に応じた文字サイズに変更して表示する処理を行う（ステップＳ１１０）。
【００１８】
このような表示装置１において、手書きメモ入力モードへの変更の指示を入力部１１が受け付けた場合（ステップＳ１１１）、筆跡情報生成部１４がタッチパネル機能を動作させる。そしてユーザがタッチペン等で画面上に触れることにより、筆跡情報生成部１４はその画面上に触れられた手書き文字の入力位置を検出する（ステップＳ１１２）。そして筆跡情報生成部１４は、画面上の筆跡の入力位置の検出により、当該入力位置に対応する文字情報画像の原点からの筆跡位置を算出する（ステップＳ１１３）。つまり、表示処理部１３に表示されている第２原点ｙ1の座標に、入力位置の座標を加算することで、文字情報画像における筆跡位置を算出するこができる。また筆跡情報生成部１４は、表示画像において設定された複数の分割領域１〜１２のうち、入力位置がいずれの分割領域に多く位置するかを検出して（ステップＳ１１４）、当該検出した分割領域の番号を特定する。そして筆跡情報生成部１４は、算出した筆跡位置と、入力位置を検出した際に画面に表示されている表示画像の文字のサイズと、入力位置を検出した際に画面に表示されている表示画像の識別情報と、特定した分割領域番号とを対応付けて格納した筆跡情報を生成する（ステップＳ１１５）。そして、筆跡情報を筆跡情報記憶部１７に記録する（ステップＳ１１６）。ここで表示画像の識別情報とは本実施形態においては文字情報が辞書データであるので、見出し語ＩＤである。この見出し語ＩＤにより辞書データにおけるどの単語に関する文字情報かが特定できる。また手書きメモ入力モードの終了の指示を入力部１１から受け付けた場合には、筆跡情報生成部１４は処理を終了する。
【００１９】
図４は筆跡情報のデータ例である。
この図が示すように、筆跡情報は、筆跡情報の生成ごとに割り当てられる手書き文字ＩＤと、表示画像を一部に含む文字情報画像を生成するための文字情報を特定する見出し語ＩＤと、筆跡の入力位置を検出した際の表示画像で表示されている文字のサイズと、表示画像の第２原点ｙ1と、算出した筆跡位置と、表示画像において設定された複数の分割領域のうち入力位置がいずれの分割領域に多く位置するかを示す分割領域の番号と、が対応付けられて記録されている。なお筆跡位置は図３で示すように筆跡の始点の絶対座標と、その始点から始まる筆跡上に所定の間隔でプロットされた相対座標である。
【００２０】
図５は表示画像と筆跡の例を示す図である。
図５では“seek”という単語の辞書データから生成された文字情報画像において指定された領域の表示画像を示している。この表示画像が画面に表示している際に、ユーザは手書きメモ入力モードへの変更の指示を入力し、タッチペンなどで、画面に手書き文字を入力する。図５の例では“sought”という単語を筆跡で囲んだ場合の例を示している。
【００２１】
図６は手書き文字の表示を行う表示装置の処理フローを示す図である。
まず、ユーザによる手書き文字の表示要求を入力部１１が受け付けると（ステップＳ２０１）、筆跡情報表示部１５が筆跡情報記憶部１７に記録されている筆跡情報の一覧を表示する（ステップＳ２０２）。この時一覧には、手書きメモＩＤや見出しＩＤやまた筆跡位置の情報に基づく筆跡の一覧が表示される。ユーザがその一覧の中から表示対象の筆跡情報を選択すると、筆跡情報表示部１５が選択された筆跡情報を特定する情報（手書きメモＩＤや見出し語ＩＤなど）を受け付ける（ステップＳ２０３）。そして筆跡情報表示部１５は選択を受けた筆跡情報を筆跡情報記憶部１７から読み取る（ステップＳ２０４）。
【００２２】
次に、筆跡情報表示部１５は、読み取った筆跡情報に格納されている見出し語ＩＤと文字サイズとを読み取る。そして筆跡情報表示部１５は、現在画面に表示されている表示画像が、筆跡情報から読み取った見出し語ＩＤに対応する文字情報の文字情報画像において領域指定されて表示された表示画像かを判定する(ステップＳ２０５)。当該判定においてＹｅｓである場合には、現在画面に表示されている表示画像の文字のサイズを検出し（ステップＳ２０６）、当該文字のサイズが、筆跡情報から読み取った文字のサイズと同じか否かを判定する（ステップＳ２０７）。文字のサイズが同じであれば、筆跡情報表示部１５は、筆跡情報に格納されている第２原点への表示領域の移動と、当該表示領域の表示画像の表示とを表示処理部１３へ指示し、筆跡情報に格納されている筆跡位置の情報に基づいて、表示画像に重ねて筆跡を表示する（ステップＳ２０８）。また文字のサイズが同じでなければ筆跡情報表示部１５は表示処理部１３に筆跡情報から読み取った文字のサイズを通知し、表示されている文字のサイズの変更を指示する。これにより表示処理部１３は現在表示している表示画像の文字のサイズを、筆跡情報表示部１５から受けた文字のサイズに変更する（ステップＳ２０９）。
【００２３】
また、ステップＳ２０５の判定においてＮｏである場合には、筆跡情報表示部１５は、筆跡情報から読み取った見出し語ＩＤと文字サイズと、さらに筆跡情報から読み取った第２原点の座標とを表示処理部１３に通知し、当該見出し語ＩＤの文字情報に基づく表示画像の表示を指示する。すると表示処理部１３は筆跡情報表示部１５から通知を受けた見出し語ＩＤによって特定される文字情報を文字情報記憶部１６から読み取って、その文字情報により文字情報画像を生成する（ステップＳ２１０）。またその文字情報画像をメモリに一時記録するとともに、筆跡情報表示部１５から受け付けた第２原点の座標を基準に文字情報画像から表示画像を読み取り、当該表示画像を画面に表示する（ステップＳ２１１）。そして、表示画像による文字を筆跡情報表示部１５から受け付けた文字サイズに変更する（ステップＳ２１２）。また、筆跡情報表示部１５は、筆跡情報に格納されている筆跡位置の情報に基づいて、表示画像に重ねて筆跡を表示する（ステップＳ２１３）
【００２４】
以上の処理によれば、筆跡情報によって表示される手書き文字は、ユーザが当該手書き文字を書き込んだ際に画面に表示されていた文字のサイズと同じ大きさの文字のサイズで表示された表示画像に合成され、さらに、ユーザが当該手書き文字を書き込んだ際に画面に表示されていた画像と同一の領域の表示画像が文字情報画像から読み取られて表示される。これにより、文字情報によって表示される文字と筆跡情報によって表示される手書き文字の位置の関係が、手書き文字が書き込まれた際の当該手書き文字と文字情報によって表示される文字の位置関係と同じ自動的にとなるので、ユーザが登録した手書き文字を適切に表示することができる。つまり、手書き文字にあわせて文字サイズを変更しなおす必要がなく、また手書き文字が、その手書き文字を書き込んだ文字情報における書き込み位置に正確に表示されることとなる。
【００２５】
図７は筆跡情報の選択時に表示される筆跡情報検索画面を示す図である。
ユーザが筆跡情報を表示させる場合には、上述の処理において図７で示すような筆跡情報検索画面を表示装置１の画面に表示させるようにしてもよい。この筆跡情報検索画面においては、ユーザが手書き文字を書き込んだ表示画像中の位置に対応する分割領域の指定欄や、手書き文字の筆跡の再入力を行う欄が表示されている。
【００２６】
図８は筆跡情報の検索時の処理フローを示す図である。
次に、図７で示した筆跡情報検索画面を用いて筆跡情報を検索する場合の処理フローについて説明する。
ユーザによる手書き文字の表示要求を入力部１１が受け付けると（ステップＳ３０１）、筆跡情報表示部１５が筆跡情報検索画面を表示する（ステップＳ３０２）。ここでユーザは筆跡情報検索画面において、分割領域の指定欄における分割領域の指定、または手書き文字入力欄における手書き文字の入力を行う。そしてユーザが検索開始ボタンを押下する。すると表示装置１の筆跡情報表示部１５は、分割領域の指定または手書き文字の入力が行われたかを判定する（ステップＳ３０３）。筆跡情報表示部１５は、この判定において分割領域の指定を受け付けた場合には、当該分割領域の番号を格納した筆跡情報を筆跡情報記憶部１７から読み取る（ステップＳ３０４）。また筆跡情報表示部１５は、筆跡情報検索画面において手書き文字の入力が行われた場合には、その手書き文字パターンを検出し（ステップＳ３０５）、筆跡情報に格納されている筆跡位置から手書き文字パターンを生成し（ステップＳ３０６）、２つの手書き文字パターンを比較する（ステップＳ３０７）。そして、手書き文字パターンが類似している筆跡情報を筆跡情報記憶部１７から読み取る（ステップＳ３０８）。そして、筆跡情報を読み取った後は、筆跡情報表示部１５は、上述の処理において記載した手順で表示画像と筆跡情報とを画面に表示する（ステップＳ３０９）。以上処理によれば、ユーザは分割領域の指定や手書き文字の再入力によって、筆跡情報が多くある場合にはそれら複数の筆跡情報の中から、選択対象とする筆跡情報の数を絞り込むことができる。これにより、ユーザが登録した手書き文字に対応する筆跡情報の検索を容易に行うことができるようになる。
【００２７】
なお上述の表示装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２８】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２９】
【図１】表示装置の構成を示すブロック図である。
【図２】文字情報画像と表示画像とを示す図である。
【図３】手書き文字の書き込み時における表示装置の処理フローを示す図である。
【図４】筆跡情報のデータ例である。
【図５】表示画像と筆跡の例を示す図である。
【図６】手書き文字の表示を行う表示装置の処理フローを示す図である。
【図７】筆跡情報の選択時に表示される筆跡情報検索画面を示す図である。
【図８】筆跡情報の検索時の処理フローを示す図である。
【符号の説明】
【００３０】
１・・・表示装置、
１１・・・入力部、１２・・・制御部、１３・・・表示処理部、１４・・・筆跡情報生成部、１５・・・筆跡情報表示部、１６・・・文字情報記憶部、１７・・・筆跡情報記憶部
【図１】
2008203943.tif 000003
【図２】
2008203943.tif 000004
【図３】
2008203943.tif 000005
【図４】
2008203943.tif 000006
【図５】
2008203943.tif 000007
【図６】
2008203943.tif 000008
【図７】
2008203943.tif 000009
【図８】
2008203943.tif 000010